(57)【要約】      （修正有）【課題】涼感のある変わり地組織に絵画調の文様が織られた夏用の帯を提供する。【解決手段】帯の地組織は疑紗組織と裏組織とを交互に組み合わせ配列させた、２重変化組織でつくる。また、帯の紋組織は、地組織と同じ織組織系列群、又は異なる織組織系列群を基本組織とし、それに多種の緯糸を多重組織にして組み込ませ紋組織をつくり、それを地組織から独立した紋様にして表現し、それらのを単独又は混在させ、平坦な地組織形成と立体感のある紋組織形成の配置によりつくられる。【選択図】図４
0003169993.tif 000002
【実用新案登録請求の範囲】
【請求項１】
地組織は疑紗と裏組織とを交互に配列する２重変化組織で構成する。
【請求項２】
紋組織は地組織と同じ織組織系列群、又は異なる織組織系列群を基本組織にして、多種の緯糸を多重組織で組み込ませる、各織組織系群を独立させ紋組織を形成し、単独又は混在する文様の構造である。
【請求項３】
帯地はこの地組織群に、同一又は異なる多重組織系群の紋組織を独立させ配置することで文様をつくる紋織物である。
【考案の詳細な説明】
【技術分野】
【０００１】  この考案は、涼感のある変わり地組織に絵画調の文様を織る夏用帯地である。
【背景技術】
【０００２】  従来からの夏帯の地組織は紗または絽、あるいはそれらの変わり組織である。
この考案は、地組織を疑紗と裏組織とを交互に配列する２重変化組織で構成する。、紋組織は、地組織部分と同じ又は独立した織組織体系の多重組織で表現したものである。
考案の帯地は、この地組織群に、同一又は異なる多重組織系群の紋組織を独立させ配置することで文様をつくる。
【先行技術文献】
【特許文献】
【０００３】
【特許文献１】  特許  第１９４０１５６号  絵画織
【考案の概要】
【考案が解決しようとする課題】
【０００４】  従来の夏帯の地組織は紗または絽あるいはそれらの変わり組織であるために、筬目が粗く緻密な紋織が構造的に不可能であった、この考案は地組織部分の織組織体系と紋組織部分の織組織体系をそれぞれ独立させて繊細な文様を織ることを課題とする。
【課題を解決するための手段】
【０００５】  以上の課題を解決するために、考案では、この考案は、地組織を疑紗と裏組織とを交互に配列する２重変化組織で搆成する。紋組織は、地組織部分と同じ又は独立した織組織体系の多重組織で表現したものである。考案の帯地は、この地組織群に、同一又は異なる多重組織系群の紋組織を独立させ配置することで文様をつくることで課題を解決したものである。
【考案の効果】
【０００６】  この考案により、かってない涼感爽快な疑紗組織を含む多重重組織の地風に、絵画織技術技法による色彩グラデーションを活用した文様で構成される夏用帯地になった。
【図１】
0003169993.tif 000003
【図２】
0003169993.tif 000004
【図３】
0003169993.tif 000005
【図４】
0003169993.tif 000006
【手続補正書】
【提出日】平成23年4月4日(2011.4.4)
【手続補正１】
【補正対象書類名】実用新案登録請求の範囲
【補正対象項目名】全文
【補正方法】変更
【補正の内容】
【実用新案登録請求の範囲】
【請求項１】
帯の地組織は疑紗組織と裏組織とを交互に組み合わせ配列させた、２重変化組織である。
【請求項２】
紋様表現の紋組織は、地組織と同じ織組織系列群、又は異なる織組織系列群を基本組織にし、多種の緯糸を多重組織に組み込ませた織組織系群をつくる、それを地組織から独立させて紋組織とする、それらを単独又は混在させたのが帯の紋様である。
【手続補正２】
【補正対象書類名】明細書
【補正対象項目名】全文
【補正方法】変更
【補正の内容】
【考案の詳細な説明】
【技術分野】
【０００１】  この考案は、涼感のある変わり地組織に絵画調の文様を織る夏用帯地である。
【背景技術】
【０００２】  従来からの夏帯の地組織は紗または絽、あるいはそれらの変わり組織である。この考案は地組織を疑紗と裏組織とを交互に配列する２重変化組織の帯である。紋様表現の紋組織は、地組織と同じ織組織系列群、又は異なる織組織系列群を基本組織にし、多種の緯糸を多重組織に組み込ませた織組織系群をつくる、それを地組織から独立させて紋組織とする、それらを単独又は混在させたのが帯の紋様である。
【先行技術文献】
【特許文献】
【０００３】
【特許文献１】特許  第１９４０１５６号  絵画織
【考案の概要】
【考案が解決しようとする課題】
【０００４】  従来の夏帯の地組織は紗または絽あるいはそれらの変わり組織であるために、筬目が粗く緻密な紋織が構造的に不可能であった、この考案は地組織部分の織組織体系と紋組織部分の織組織体系をそれぞれ独立させて繊細な文様を織ることを課題とする。
【課題を解決するための手段】
【０００５】  以上の課題を解決するために、考案では、地組織を疑紗と裏組織とを交互に配列する２重変化組織で構成する帯である。紋組織は、地組織部分と同じ又は独立した織組織体系の多重組織で表現したものである。考案の帯地は、この地組織群に、同一又は異なる多重組織系群の紋組織を独立させ配置することで帯の文様をつくることで課題を解決したものである。
【考案の効果】
【０００６】  この考案により、かってない涼感爽快な疑紗組織を含む多重重組織の地風に、絵画織技術技法による色彩グラデーションを活用した文様で構成される夏用帯地になった。
【図面の簡単な説明】
【０００７】
【図１】地織図。考案の帯の地組織図である。
【図２】紋織図。考案の帯の紋の組織図である。
【図３】組織図。従来の夏帯の地組織図である。
【図４】平面図。考案の帯の地と紋を配置した平面図である。
【考案を実施するための形態】
【０００８】この考案の実施形態を、図４に示す。図１の地組織部分と図２の紋織組部分の組み合わせで夏用帯地が構成される。「実施形態の効果」
【０００９】    この実施形態によれば、かってない涼感爽快な地風に繊細緻密にして流麗豪華な文様が織り上げられた夏用帯地により、夏の着物姿が日本の夏を彩り、豊かな風物詩になるだろう。「他の実施形態」
【００１０】絵画織「夏用帯地」は袋帯、京袋帯、なごや帯、細帯等に用いられる。
【産業上の利用可能性】
【００１１】  和装業界の低迷の中でも「ゆかた姿」が若者中心に活気がみられる。使われている帯は「ひとえ帯」か絽、紗の夏帯等でバラェティーがない。この絵画織「夏用帯地」が普及することで、ファッション性が高まりキモノ姿が倍増することが期待できる。
【符号の説明】
【００１２】ア  組織図の灰色  （緯糸の見える点）イ  組織図の白色  （経糸が見える点）ウ  帯の地の部分エ  帯の文様の部分
【手続補正書】
【提出日】平成23年6月11日(2011.6.11)
【手続補正１】
【補正対象書類名】実用新案登録請求の範囲
【補正対象項目名】全文
【補正方法】変更
【補正の内容】
【実用新案登録請求の範囲】
【請求項１】
帯の地組織は疑紗組織と裏組織とを交互に組み合わせ配列させた、２重変化組織でつくる。また、帯の紋組織は、地組織と同じ織組織系列群、又は異なる織組織系列群を基本組織とし、それに多種の緯糸を多重組織にして組み込ませ紋組織をつくる、それを地組織から独立した紋様にして表現する、それらのを単独又は混在させる、平坦な地組織形成と立体感のある紋組織形成の配置によりつくられた清涼感のある初夏から初秋まで使える帯。